(57)【特許請求の範囲】
【請求項１】
防水下地上に所定幅の重ね継ぎ部を介して隣接する一対の防水シートの端縁部どうしが水密状態に連結してある防水シート継ぎ目構造であって、
前記一対の防水シートの端縁部どうしが突き合わさる状態に配置され、それら突合せ端縁部の下面にわたって、端縁部長手方向に沿った帯状の継ぎ目用防水シートが接着されて一連の防水層の前記重ね継ぎ部が構成してあり、前記重ね継ぎ部の下方に位置する前記防水下地部分に、前記継ぎ目用防水シートの厚み寸法と同じ深さの堀込部が設けてあり、その堀込部内に、前記重ね継ぎ部の継ぎ目用防水シート部分が納められ、前記防水層は、ディスク固定板と、そのディスク固定板の中央部を前記防水下地に固定する固定ネジとによって前記防水下地に固定してあり、前記固定ネジは、前記堀込部の防水下地部分とそれに隣接する隣接防水下地部分との境目に挿通する状態に設けられている防水シート継ぎ目構造。
【請求項２】
前記ディスク固定板は、前記防水シートと前記継ぎ目用防水シートとの間に介在させてある請求項１に記載の防水シート継ぎ目構造。
【請求項３】
前記ディスク固定板は、その上面部に前記防水シートの下面が接着されている請求項１又は２に記載の防水シート継ぎ目構造。
【発明の詳細な説明】
【技術分野】
【０００１】
本発明は、防水下地上に所定幅の重ね継ぎ部を介して隣接する一対の防水シートの端縁部どうしが水密状態に連結してある防水シート継ぎ目構造に関する。
【背景技術】
【０００２】
従来、この種の防水シート継ぎ目構造としては、図５に示すように、面一の防水下地Ｇの上に敷設された一方の防水シートＳ１の端縁部に、他方の防水シートＳ２の端縁部を上から重ねて接着し、その両防水シートの重なり部分で前記重ね継ぎ部１を構成してあるものがあった（例えば、特許文献１〜３参照）。
【先行技術文献】
【特許文献】
【０００３】
【特許文献１】特開２００４−３３２５２４号公報（図４）
【特許文献２】特許１７０３１６９号公報（図２）
【特許文献３】特開昭６３−８９７６６号公報（図１）
【発明の概要】
【発明が解決しようとする課題】
【０００４】
上述した従来の防水シート継ぎ目構造によれば、重ね継ぎ部そのものは、防水下地上に二枚の防水シートが重なっているから、他の部分に比べて盛り上がった状態となっており、例えば、歩行の障害となったり、防水層上に載置される載置物（例えば、ウッドデッキの脚部や、装置の接地部等）のガタツキの原因になる問題があった。
【０００５】
従って、本発明の目的は、上記問題点を解消し、防水シートどうしの重ね継ぎ部が、他物に対する障害となり難い防水シート継ぎ目構造を提供するところにある。
【課題を解決するための手段】
【０００６】
防水下地上に所定幅の重ね継ぎ部を介して隣接する一対の防水シートの端縁部どうしが水密状態に連結してある防水シート継ぎ目構造において、前記一対の防水シートの端縁部どうしが突き合わさる状態に配置され、それら突合せ端縁部の下面にわたって、端縁部長手方向に沿った帯状の継ぎ目用防水シートが接着されて前記重ね継ぎ部が構成してあり、前記重ね継ぎ部の下方に位置する前記防水下地部分に、前記継ぎ目用防水シートの厚み寸法と同じ深さの堀込部が設けてあり、その堀込部内に、前記重ね継ぎ部の継ぎ目用防水シート部分が納められていてもよい。
【０００７】
その構成によれば、前記一対の防水シートの端縁部どうしが突き合わさる状態に配置され、それら突合せ端縁部の下面にわたって、端縁部長手方向に沿った帯状の継ぎ目用防水シートが接着されて前記重ね継ぎ部が構成してあり、前記重ね継ぎ部の下方に位置する前記防水下地部分に、前記継ぎ目用防水シートの厚み寸法と同じ深さの堀込部が設けてあり、その堀込部内に、前記重ね継ぎ部の継ぎ目用防水シート部分が納められているから、一対の防水シートどうしは、前記継ぎ目用防水シートを介して突合せ状態で連結されて一体の防水層を構成できる。そして、前記堀込部を形成してあることで、その内部に継ぎ目用防水シートが納まり、重ね継ぎ部の上面を、他の防水シート部分と面一の状態に保つことが可能となる。
従って、前記重ね継ぎ部が、例えば、歩行の障害となったり、防水層上に載置される載置物（例えば、ウッドデッキの脚部や、装置の接地部等）のガタツキの原因になるのを未然に防止することが可能となる。
更には、一対の防水シートも前記継ぎ目用防水シートも、それぞれが形成された時の自然の形状、即ち、平面形状を保った状態で連結されているから、従来のように、上に被さる防水シートの局部が折れ曲がった状態になることが無く、より防水層の耐久性を向上させることが可能となる。
【０００８】
また、前記継ぎ目用防水シートは、前記防水下地の前記堀込部上に接着してあってもよい。
【０００９】
その構成によれば、上述の作用効果を叶えることができるのに加えて、前記継ぎ目用防水シート本来の役割である前記一対の防水シートどうしの連結作用に加えて、防水下地に対する防水層の固定をも叶えることができ、より安定した状態に防水層を構成することができる。
更には、例えば、昼夜の温度変化等による膨張収縮の繰り返しで、特に、前記一対の防水シート間に引っ張り力が作用する場合に、その応力が、両防水シートどうしの突合せ部の前記継ぎ目用防水シート部分に集中して作用し易いが、堀込部と継ぎ目用防水シートとが一体に接着されていることで、その応力集中を防水下地に分散して負担させることが可能となり、継ぎ目用防水シートが寸断することを防止し易くなる。
その結果、防水層全体とした耐久性の向上を図ることが可能となる。
【００１０】
また、前記防水下地は、その表層部が不燃ボードで構成してあり、前記堀込部は、隣接範囲と別の帯状の堀込部用不燃ボードで構成してあり、堀込部用不燃ボード上面に前記継ぎ目用防水シートが接着一体化してあってもよい。
【００１１】
その構成によれば、上述の作用効果を叶えることができるのに加えて、防水層設置対象部の不燃性を向上させることができる。
また、通常の厚みの不燃ボードに、溝加工等を施して堀込部を形成するのに比べて、極めて簡単に堀込部を構成することが可能となり、下地形成作業の工期短縮と共にコストダウンをも叶えることができる。
即ち、重ね継ぎ部に隣接する一般部分の不燃ボード間に、前記継ぎ目用防水シートの厚み寸法だけ薄く形成した堀込部用不燃ボードを位置させるだけの簡単な作業で、重ね継ぎ部の堀込部を形成することができる。そして、予め、堀込部用不燃ボードの上面に継ぎ目用防水シートを接着しておいたり、又は、一般部分の不燃ボード間に配置した堀込部用不燃ボードの上面に継ぎ目用防水シートを接着すると、重ね継ぎ部がその他の部分と面一状態となり、その上に敷設する防水シートの重ね継ぎ部分も、平坦な状態に仕上げることが可能となる。
【００１２】
本発明の第１の特徴構成は、防水下地上に所定幅の重ね継ぎ部を介して隣接する一対の防水シートの端縁部どうしが水密状態に連結してある防水シート継ぎ目構造であって、
前記一対の防水シートの端縁部どうしが突き合わさる状態に配置され、それら突合せ端縁部の下面にわたって、端縁部長手方向に沿った帯状の継ぎ目用防水シートが接着されて一連の防水層の前記重ね継ぎ部が構成してあり、前記重ね継ぎ部の下方に位置する前記防水下地部分に、前記継ぎ目用防水シートの厚み寸法と同じ深さの堀込部が設けてあり、その堀込部内に、前記重ね継ぎ部の継ぎ目用防水シート部分が納められ、前記防水層は、ディスク固定板と、そのディスク固定板の中央部を前記防水下地に固定する固定ネジとによって前記防水下地に固定してあり、前記固定ネジは、前記堀込部の防水下地部分とそれに隣接する隣接防水下地部分との境目に挿通する状態に設けられているところにある。
【００１３】
本発明の第２の特徴構成は、前記ディスク固定板は、前記防水シートと前記継ぎ目用防水シートとの間に介在させてあるところにある。
【００１４】
本発明の第３の特徴構成は、前記ディスク固定板は、その上面部に前記防水シートの下面が接着されているところにある。
【図面の簡単な説明】
【００１５】
【図１】防水シート継ぎ目構造を示す要部斜視図
【図２】防水シート継ぎ目構造を示す要部断面図
【図３】別実施形態の防水シート継ぎ目構造を示す要部断面図
【図４】別実施形態の防水シート継ぎ目構造を示す要部断面図
【図５】従来の防水シート継ぎ目構造を示す要部断面図
【発明を実施するための形態】
【００１６】
以下に本発明の実施の形態を図面に基づいて説明する。尚、図面において従来例と同一の符号で表示した部分は、同一又は相当の部分を示している。
【００１７】
図１〜２は、本発明の防水シート継ぎ目構造の一実施形態を示すもので、防水下地Ｇ上に所定幅の重ね継ぎ部１を介して隣接する一対の防水シートＳの端縁部どうしが水密状態に連結してあり、一連の防水層Ｗが構成されている。
【００１８】
前記防水下地Ｇは、当該実施形態の場合、ＡＬＣ板Ｇ１上に多孔質断熱板Ｇ２が敷設され、その上の表層部Ｇ３には不燃ボード２が敷設されて構成されている。
【００１９】
また、前記防水シートＳは、例えば、塩化ビニル製のものが使用され、所定幅のロール状に巻いた防水シートＳを、前記防水下地Ｇ上に置いた状態で巻き戻しながら広げ、隣接させる防水シートＳの端縁部が突き合う状態に配置させて、後述する継ぎ目用防水シートＳ３を介して連結することで一連の防水層Ｗを構成する。
【００２０】
尚、防水下地Ｇへの防水層Ｗの固定は、重ね継ぎ部１においては前記継ぎ目用防水シートＳ３を介した接着によって、その他の一般部においては、予め防水下地Ｇに間隔をあけて固定した金属製の複数のディスク固定板Ｍを介した接着によって実施されている。
因みに、このディスク固定板Ｍは、例えば、ステンレス鋼等の金属で構成することができ、中央部が防水下地Ｇへネジ固定されている。そして、このディスク固定板Ｍのディスク上面部には、ホットメルト接着層Ｍ１が形成されている（図２参照）。従って、ディスク固定板Ｍ上に被る状態に配置した防水シートＳの上から、磁気誘導加熱装置でこのディスク固定板Ｍの金属部分を加熱することで前記ホットメルト接着層Ｍ１が溶融し、ディスク固定板Ｍと防水シートＳとを接着することができる。
【００２１】
次に、前記重ね継ぎ部１について詳しく説明する。
重ね継ぎ部１においては、一対の防水シートＳ１，Ｓ２の端縁部どうしが突き合わさる状態に配置され、それら突合せ端縁部の下面にわたって、端縁部長手方向に沿った帯状の継ぎ目用防水シートＳ３が接着されており、前記重ね継ぎ部１の下方に位置する前記防水下地Ｇ部分に、前記継ぎ目用防水シートＳ３の厚み寸法と同じ深さの堀込部３が設けてある。そして、その堀込部３内に、前記継ぎ目用防水シートＳ３部分が納められている。
従って、前記一対の防水シートＳ１，Ｓ２は、全域において面一状態に設置されている。
因みに、継ぎ目用防水シートＳ３も、前記一対の防水シートＳ１，Ｓ２と全く同じ厚み寸法のもので構成され、材質に関しても同様である。
【００２２】
一方、重ね継ぎ部１の箇所における防水下地Ｇは、表層部Ｇ３の不燃ボード２が分割された構成となっている。
具体的には、重ね継ぎ部１直下に配置されている堀込部用不燃ボード２Ｂと、その両側方に隣接させて配置されている一般部の標準不燃ボード２Ａとを備えて構成されている。
前記堀込部用不燃ボード２Ｂは、その厚み寸法が、前記継ぎ目用防水シートＳ３の厚み寸法分、標準不燃ボード２Ａより薄く設定されている。
従って、不燃ボードからなる表層部Ｇ３全体に着目すれば、堀込部用不燃ボード２Ｂ部分が堀込部３となる。
そして、堀込部用不燃ボード２Ｂの上面には、前記継ぎ目用防水シートＳ３が接着されている。
尚、当該実施形態においては、一部の前記ディスク固定板Ｍが、標準不燃ボード２Ａと堀込部用不燃ボード２Ｂとの境目に固定ネジが挿通する状態に設置されている。
【００２３】
また、前記一対の防水シートＳ１，Ｓ２は、それら端縁部を、前記継ぎ目用防水シートＳ３上で突き合わさる状態に配置され、継ぎ目用防水シートＳ３、及び、ディスク固定板Ｍに接着されている。
そして、両防水シートＳ１，Ｓ２の突合せ端部間の隙間には、シール材４が充填され、重ね継ぎ部１の防水性の向上が図られている。
【００２４】
本実施形態の防水シート継ぎ目構造によれば、重ね継ぎ部１の上面を、他の防水シートＳ部分と面一の状態に保つことが可能となり、例えば、歩行の障害となったり、防水層Ｗ上に載置される載置物（例えば、ウッドデッキの脚部や、装置の接地部等）のガタツキの原因になるのを未然に防止することが可能となる。
更には、一対の防水シートＳ１，Ｓ２や、継ぎ目用防水シートＳ３が、平面形状を保った状態で連結されているから、従来のように、防水シートの局部が折れ曲がった状態になることが無く、より防水層Ｗの耐久性を向上させることが可能となる。
そして、表層部Ｇ３に堀込部３を形成するにあたり、分割した前記堀込部用不燃ボード２Ｂを、標準不燃ボード２Ａ間に介在させるだけの手間で簡単に行え、防水層形成作業の効率向上やコストダウンを図ることが可能となる。
【００２５】
〔別実施形態〕
以下に他の実施の形態を説明する。
【００２６】
〈１〉  前記防水下地Ｇは、先の実施形態で説明した構成に限るものではなく、いかなる構成であっても、防水層の下地となりうる構成であればよく、それを総称して防水下地という。
そして、先の実施形態のように、重ね継ぎ部１の下方のみ分割した下地を備えた構造を説明したが、例えば、図３に示すように、一体の下地に堀込部３を形成してあったり、図４に示すように、重ね継ぎ部１の中間部に分割部が形成された下地であってもよい。
〈２〉  前記継ぎ目用防水シートＳ３は、先の実施形態で説明した一般部分に用いた防水シートＳ１，Ｓ２と同様のものに限るものではなく、例えば、物性や、厚み寸法を異ならせたものを使用するものであってもよい。
〈３〉  上述の各記載の中の『接着』とは、対応するもの同士を合わさる状態にくっつけることを言い、例えば、粘着材を介在させてくっつけたり、接着材を介在させてくっつけたり、他の公知の手法をも広く採用することができる。また、接着のメカニズムも、溶着や融着によるものであってもよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２８】
１      重ね継ぎ部
３      堀込部
Ｇ      防水下地
Ｍ      ディスク固定板
Ｓ      防水シート
Ｓ３    継ぎ目用防水シート
Ｗ      防水層
【図１】
0005458139.tif 000002
【図２】
0005458139.tif 000003
【図３】
0005458139.tif 000004
【図４】
0005458139.tif 000005
【図５】
0005458139.tif 000006